(57)【要約】車両、船舶、航空機などの輸送手段での使用に関係付けられたコンピュータやハンドヘルド電子装置／デバイスなどの電子機器での使用が意図される、回転、傾斜、及び／又は押圧機能を備えた多機能スイッチ・デバイスであって、前記機器が、機能制御のためのディスプレイを有し、又は当該ディスプレイに接続されており、当該スイッチ・デバイスが、下にある接点を作動させるカルダン機構を有する傾動デバイスを含む、多機能スイッチ・デバイス。
2006516355.tif 000002
【特許請求の範囲】
【請求項１】
車両、船舶、航空機などの輸送手段での使用に関係付けられたコンピュータやハンドヘルド電子装置／デバイスなどの電子機器での使用が意図される、回転のための機能と、さらに傾斜及び／又は押圧機能とを有する多機能スイッチ・デバイスであって、前記機器が、機能制御のためのディスプレイを有し、又は当該ディスプレイに接続されており、
前記スイッチ・デバイスが、相互運動可能な２つのカルダン・カップリング支持部品を囲むハウジングから成る中央の傾動デバイスを有しており、前記部品の第１のものが、第１の対の支持点のところで前記ハウジングに据え付けられており、前記部品の第２のものが、前記第１の対に対して９０°オフセットした第２の対の支持点のところで前記第１の部品上で支持されることを特徴とする、多機能スイッチ・デバイス。（図１〜２）
【請求項２】
前記傾動デバイスの前記ハウジングと、前記第１の部品及び前記第２の部品とが、互いに固定して取り付けられることと、
前記支持点が、相互カルダン運動のために可撓性でねじれることとを特徴とする、請求項１に記載の多機能スイッチ・デバイス。
【請求項３】
前記傾動デバイスの前記第２の部品が、下にある接点を作動させるように設計された十字形のアームを有しており、前記第２の部品が、中央に穴を有しており、前記スイッチ・デバイスの操作要素と中央の下にある接点のための作動装置とを形成する、前記スイッチの回転可能な部品のためのシャフトが、前記穴の中に配置されることを特徴とする、請求項１又は２に記載の多機能スイッチ・デバイス。
【請求項４】
前記傾動デバイスの相互運動可能な前記部品が、可撓性材料製であることを特徴とする、請求項１又は２に記載の多機能スイッチ・デバイス。
【請求項５】
前記傾動デバイスの相互運動可能な前記２つの部品が、前記傾動デバイス内でいくらか回転可能なシャフトによって支持点上に据え付けられることを特徴とする、請求項１又は２に記載の多機能スイッチ・デバイス。
【請求項６】
前記スイッチ・デバイスの回転可能な前記部品と操作要素のための据付部とを形成する中央部分が、複数の垂直面及び溝を有しており、前記スイッチ・デバイスのフレームに取り付けられたばねが、前記複数の垂直面及び溝を把持して前記操作要素のステップ回転をもたらすことを特徴とする、請求項１から５までの一項又は複数の項に記載の多機能スイッチ・デバイス。（図２ｃ、３ｂ、３ｄ）
【請求項７】
前記ステップ回転が、傾斜して回転要素内の溝と接触し、且つ前記スイッチ・デバイスの前記フレーム上に配置された関係接点のところで接触部及び／又は短絡回路を形成する、接点ばねを用いて検出されることを特徴とする、請求項６に記載の多機能スイッチ・デバイス。
【請求項８】
車両、船舶、航空機などの輸送手段での使用に関係付けられたコンピュータやハンドヘルド電子装置／デバイスなどの電子機器での使用が意図される、回転のための機能と、さらに傾斜及び／又は押圧機能とを備えた多機能スイッチ・デバイスであって、前記機器が、機能制御のためのディスプレイを有し、又は当該ディスプレイに接続されており、
前記スイッチ・デバイスが、相互運動可能な２つのカルダン・カップリング支持部品から成る中央の傾動デバイスを有しており、前記部品の第１のものが、第１の対の支持点のところでスイッチ基部に据え付けられることと、
前記部品の第２のものが、前記第１の対に対して９０°オフセットした第２の対の支持点のところで前記第１の部品上で支持されることとを特徴とする、多機能スイッチ・デバイス。（図５〜９）
【請求項９】
前記傾動デバイスの前記第１の部品が、第２の対の支持点によって前記第２の部品に固定して取り付けられており、前記支持点が可撓性でねじれることを特徴とする、請求項８に記載の多機能スイッチ・デバイス。
【請求項１０】
前記傾動デバイスの前記第１の部品が、前記第１の対の支持点とピボット係合するための、突き出た１対の傾斜ピンを有することを特徴とする、請求項８又は９に記載の多機能スイッチ・デバイス。
【請求項１１】
前記傾動デバイスの前記第１の部品が、基部及びフレームに固定して取り付けられた１対の支持点を有しており、前記支持点が可撓性でねじれることを特徴とする、請求項８、９、又は１０に記載の多機能スイッチ・デバイス。（図９）
【請求項１２】
前記傾動デバイスの前記第２の部品が、下にある接点を作動させるように配置された十字形のアームを有することと、
前記第２の部品が、中央に穴を有しており、前記スイッチ・デバイスの操作要素と中央の下にある接点のための作動装置とを形成する、前記スイッチの回転可能な部品のためのシャフトが、前記穴を貫通して設けられることとを特徴とする、請求項８から１１までの一項又は複数の項に記載の多機能スイッチ・デバイス。
【請求項１３】
前記傾動デバイスの前記第２の部品の中心にある中央部分が、複数の垂直面を有することと、
操作要素を形成する前記スイッチ・デバイスの回転可能な部品に、ばねが留め付けられており、前記ばねが、前記操作要素を把持して前記回転部品のステップ回転をもたらすこととを特徴とする、請求項８から１２までの一項又は複数の項に記載の多機能スイッチ・デバイス。
【請求項１４】
前記ばねが、ワイヤ・タイプのばねで、クリップの形態をしていることを特徴とする、請求項１３に記載の多機能スイッチ。
【請求項１５】
前記スイッチ・デバイスが、操作要素を形成する、前記傾動デバイス内でピボット式に支持される回転可能な部品を有しており、前記回転可能な部品の上に、前記基部に対する前記操作要素の位置を検出するための、前記基部上の接点フィールドに対して感知する環状スリップ・リングが据え付けられることを特徴とする、請求項８から１３までの一項又は複数の項に記載の多機能スイッチ・デバイス。
【請求項１６】
前記スイッチ・デバイスの基部が、スイッチ機能を作動させるスナップ・ディスク及び接点フィールドを有することと、
前記基部の上に、前記操作要素の接触及び回転検出のために前記スリップ・リングがそれに触れるフィールド・リングを有する、外側のフレームが据え付けられることとを特徴とする、請求項８から１３までの一項又は複数の項に記載の多機能スイッチ・デバイス。
【請求項１７】
前記デバイスが、前記操作要素の回転を感知する接点フィールドを含んだフレーム部品を有することを特徴とする、請求項８から１３までの一項又は複数の項に記載の多機能スイッチ・デバイス。（図９）
【請求項１８】
前記操作要素の中央の窪みが、下にあるスナップ・ディスクを中央の接点フィールド上に圧潰させるように設計されており、同時に、前記操作要素の外側の部品に加わる圧力又は前記操作要素の傾斜が、前記傾動デバイスの運動をもたらして、その運動が、下にある外側のスナップ・ディスクの１つを関係付けられた接点フィールド上に圧潰させるように設計されることを特徴とする、請求項８から１３までの一項又は複数の項に記載の多機能スイッチ・デバイス。
【請求項１９】
前記操作要素が、外側の面を有しており、又は外側の面を有するように作製された部品の中に入れられており、前記外側の面が、滑らかである、又はユーザの指に対する摩擦のための外形、凹み、若しくは構造を周囲領域に有することと、
前記外側の面が、中央で凹んでおり、触知ピン又は窪みが前記中央に配置されることとを特徴とする、請求項１から１８までの一項又は複数の項に記載の多機能スイッチ・デバイス。（図８）
【請求項２０】
前記中央の傾動デバイスが、ディスクの形態をしたステップ回転可能な操作要素から成るスイッチ・デバイスのためのスイッチ機能の基盤を成しており、前記ステップ回転可能な操作要素が、回転すると、グラフィカル・ユーザ・インターフェースにおいて、カーソル、画面イメージ、若しくは他の画面関連機能をステップ移動させるように設計されており、前記ステップ回転可能な操作要素がさらに、中央を押下可能且つ４つの方向に傾斜可能であり、それによって、前記スイッチ・デバイスに関係付けられたスイッチ機能を作動できることを特徴とする、請求項１から１９までの一項又は複数の項に記載の多機能スイッチ・デバイス。（図４）
【発明の詳細な説明】
【技術分野】
【０００１】
本発明は、特に電子機器及びハンドヘルド装置で使用するために、且つ車両及び輸送手段用に開発された、多機能スイッチのための傾動デバイス及び傾斜機能に関する。
【背景技術】
【０００２】
ハンドヘルド電子機器には、さらなる機能及び利用分野が絶えず与えられている。車両では、運転者によって操作されることになる新しい機能が絶えず導入されている。従来のキーパッドが、小さな装置に関して、また自動車の運転若しくは類似の状況と併せて使用するには、あまりユーザ・フレンドリーではないことがわかっている。
【０００３】
本発明者は、以前に、適合されたグラフィカル・ユーザ・インターフェースと併せて従来のキーパッドを置き換える又は補うことのできる、いくつかのタイプの多機能スイッチを記載した。言い換えれば、表示画面、例えばＬＣＤ画面上に示されたメニュー・システムによって、スイッチが対話形式で機能可能になることが意図されている。ただし、目的の１つは、画面上に表示される情報を、スイッチ・デバイスの物理設計に応じて、ユーザが容易に理解できるものにすべきということである。本発明の基礎を成す、本出願人らの以前の出願には、ＷＯ００３４９６５、ＷＯ０１４１４０２、ＷＯ０１６１６３７、ＰＣＴ／ＮＯ０２／００２３１、及びＰＣＴ／ＮＯ０２／００３０９が含まれる。
【０００４】
本発明者が以前に記載した多機能スイッチは、回転及び／又はスライド機能と、少なくとも３つの押圧又は傾斜機能とを有する。これらは、スイッチの操作要素と直接連結して配置され、構造全体を小型で多用途なものにする。記載したシステムは、傾斜又は押圧機能について様々な解決法を提示する。これらの解決法は、主として、必要とされる押圧及び傾斜効果を生み出すように相互作用する、いくつかの部品を使用するものである。
【発明の開示】
【発明が解決しようとする課題】
【０００５】
本発明の目的は、使用部品数が少なく、摩耗寿命が長く、生産上及び生産経済上の利点をもたらす構造を得ることである。
【課題を解決するための手段】
【０００６】
本発明は、特に、４つの傾斜又は押圧機能と１つの中央押圧部とを有するスイッチのための傾斜機能の実施例に関する。したがって、この実施例は、回転又はスライド機能を有するスイッチで使用するのに適している。ただし、他のタイプの多機能スイッチも考えられる。
【０００７】
本発明の特徴について、冒頭の独立請求項１及び８、並びにそれらに関係付けられた各従属請求項に記載し、さらに添付の諸図面に即して以下の説明に記載する。
【０００８】
以下の図は、本発明について、特に回転可能な多機能スイッチに関して説明する。ただし、本明細書で図示し記載する解決法又は技術は、過去に記載された、とりわけ本発明者らが以前に言及した出願に記載の多機能スイッチの多くに、これら従来の解決法を単純化且つ改善するために、容易に転換可能である。
【０００９】
これらの解決法を、多くの形態の電子機器と併せてスイッチ及び動作制御装置で使用できることが、当業者には理解されよう。
【実施例】
【００１０】
ここで、本発明について、図を参照し、また冒頭の特許請求の範囲に即して、より詳細に説明する。
【００１１】
本出願人らの以前の出願に記載した、傾斜機能を備える多機能スイッチは、主に、いくつかの可動部品間の相互作用に基づく。本発明は、カルダン・ユニット（ｃａｒｄａｎ  ｕｎｉｔ）と呼ぶこともある可撓性の傾動デバイスを用いて傾斜及び押圧機能を得る、多機能スイッチを教示する。カルダン・ユニット１は、カルダン又は可撓性ロッドから知られる原理を使用する。図１に示したように、カルダン・ユニット１は、様々な「部品」から成る。ただし、これらは、互いに固定連結される。これは、生産時にカルダン・ユニット１を単一部品として成型できることを意味する。カルダン・ユニット１は、２つの「シャフト」４及び４’によってフレーム部品６に固定して取り付けられた、外側のリング２から成る。この場合、フレーム部品６は、本願において本発明の記述の基盤を与えるスイッチのためのハウジングである。クロス・メンバ８が、２つの「シャフト」７及び７’によってリング２に固定される。クロス・メンバは、環状の中央部品の周りに４つの突出部９〜９’’’を有する。シャフト４〜４’及び７〜７’は、回転不可能であるが、両端で固定連結される。ゆえに、一般にカルダン・カップリングが回転可能な軸受を有するのに対し、この解決法が、要素を中立位置へと戻すねじれの力による自動戻り式（ｓｅｌｆ−ｒｅｔｕｒｎｉｎｇ）カルダン要素２及び８を使用するので、これは、変形カルダン・カップリングである。カルダン・ユニット１全体を、可撓性材料、例えば、様々なタイプのプラスチック又は硬質ゴムで作製することができる。それでもシャフトは、本明細書の材料が加えられた力に屈してねじれを引き起こし、そのねじれが、下にある１４’〜１４’’’’によって示された接点を作動させるような、形状及び厚さになる。
【００１２】
カルダン・ユニット１は、図２ｂに示したように、フレームから独立した一体品に成型することができ、又は、図３に示したようにフレームの一部として成型することができる。
【００１３】
本明細書では、また、カルダン・ユニットを、中心線１１−１１’の周りでシャフトが回転可能であるような公知の方式でリング２がクロス・メンバ８に対して相対運動可能になる、２部品にできることを指摘すべきである。ただし、これは、可撓性の一体品の解決法では得られる利点が得られない、より従来的な方法になる。
【００１４】
以下の説明は、中央の押圧機能と４つの傾斜機能とを備えた回転可能な多機能スイッチのための完全な解決法を示す。
【００１５】
図２ａは、底部にばね式の接点１４〜１４’’’’を有するフレーム１２を示す。
【００１６】
図２ｂは、図１に関して記載した、嵌め込まれた傾動部品１を示す。参照番号１６〜１６’は、回転機能の検出のための接点を示す。
【００１７】
図２ｃは、中央部品２０が回転したときに接点１４〜１４’に対して作用し、それによってそれらの運動の位置を合わせる、２つの接点ばね１８及び１８’を示す。
【００１８】
図２ｄは、回転可能な多機能スイッチを通る断面図である。タッチ要素２２は、中央部品２０に留め付けられる。中央の接点１４は、矢印２４によって示された、タッチ要素の中央を押すことによって作動される。矢印２５〜２５’’によって示された４つの方向のうちの１つの方向に押すと、傾動デバイス１の傾動が引き起こされ、それが、図１ａに示した、下に位置するクロス・メンバ８の関係突出部に接触を起こさせる。第４の作用点は、この図では見えないが、図４でよりはっきり見ることができる。
【００１９】
図３は、図２に関して前述した解決法の一変形例を示す。ここでの違いは、接点がプリント回路基板上に直接配置されることである。ゆえに、図３ｄに示したように、フレーム３０を回路基板上に直接据え付けることが可能である。図３ｂは、ステップ回転がどのように実施されることになるかを明確に示す。この図では、２つのばね３２及び３２’が据え付けられており、これらのばねは、参照番号３４によって示された面に当てて置かれる。中央部品２０が回転すると、ステップ運動が得られる。本発明の他の態様は、図３ａに示した実施例で、カルダン状傾動デバイス１をフレーム部品８と共に単一品に作製できることである。これは、生産上の利点を与えることがあるが、フレーム部品及び傾動デバイスが様々な材料中で成型されることを意味することがある。
【００２０】
図４は、回転可能、傾斜可能、且つ押下可能な多機能スイッチ３８を示す。この解決法は、図２〜３及び図５〜９による傾動デバイスの一実施例として使用される。
【００２１】
以下の説明及び添付図面は、代替的なスイッチを示す。図５は、スイッチを構成する個々の部品を示しており、図６は、上側の操作部材がない、組み立てられたスイッチの拡大図である。プレート又は基部５０は、傾動デバイス５３のための支持点を成す、２つの揺動軸受５１〜５２を有する。傾動デバイス５３は、いくらかは、例えば図１に示した解決法と同様に構築され、そこで図示し記載した原理に従って機能するが、その解決法とは異なり、傾動デバイス５３の両側で外側の部品５４に留め付けられた２つのシャフト５５〜５６が、前述の解決法によってもたらされるねじれの効果とは対照的に、揺動軸受での自由な回転可能運動をもたらす。一般にカルダン・カップリングが回転可能な４つの軸受を有するのに対し、ここでのカルダン状傾動デバイスが２つの軸受を有するので、これは、結果的に変型カルダン・カップリングとなる。傾動デバイス５７の内側の部品は、シャフト５５〜５６に対して９０°オフセットした２つの「シャフト」部品５８〜５９によって、外側の部品に留め付けられる。生産時には、傾動デバイス５３全体を一体品で成型することが可能である。使用される材料は、可撓性材料、例えば、適切なタイプのプラスチックである。シャフト部品５８〜５９は、内側の部品５７が外側の部品５４に対して相対回転できるような厚さ及び形状を有する。基部５０は、接点フィールド７１〜７５の上方でスナップ・ディスク６１〜６５がそれに取り付けられ、併せてスイッチ接点を形成する、信号処理部６０を有する。傾動デバイスの内側の部品は、４つの突出部６６〜６９（図６ａ〜６ｂ参照）がシャフトに対して斜めに配置され、当該突出部がスナップ・ディスク６２〜６５（図５参照）の上方に配置された、十字形である。スイッチは、図５の下部で関連部品と共に下側から示された操作部材８０を有する。操作部材は、傾動デバイスを貫通する中央のシャフト部品８１を有する。ばね８２が、操作部材内に固定される。ばねは、クリップの形態で、傾動デバイスの中央部分７６の周りを把持する。この部分は、円形で、ばねがその周りを把持する複数の面を有する。操作部材が回転すると、この回転がステップ運動を引き起こす。この場合、対応するステップをもたらす８つの面があるが、この数を、本発明を制限するものとして理解すべきではない。また、スリップ・リング８４の形態をした接点部品が、操作要素に留め付けられる。このリングは、フレーム部品７８内の接点フィールド７７（図６ａ参照）と接触するピン８５及び８６を有する。接点フィールド７７は、それがスリップ・リングを通じて操作要素の回転位置を合わせるように分割される。これは、当業者によく知られている方法で実施されるので、ここではこれ以上詳細には説明しない。フレーム部品７８は、スイッチの基部の部品５０上に直接置かれ、図５に示したように、つめ（ｃａｔｃｈ）９０を用いて留め付けることができる。フレーム部品は、接点フィールド７７とスリップ・リング８４との間の信号の伝送のために、信号処理部６０に接触している。図６ａ〜６ｂは、傾動デバイスのシャフトに対する、関連スナップ・ディスクを備えた傾動デバイスの突出部並びに接点フィールドの対角位置を明確に示す。図６���は、操作部材のばねがその周りを把持する、傾動デバイスの中央部品の面を明確に示す。
【００２２】
図７ｃ〜７ｅは、本発明のさらなる理解のためにスイッチの構造の詳細を示す、当該スイッチを通る断面図であり、図７ａ及び７ｂに示した断面ＶＩＩｃ−ＶＩＩｃ、ＶＩＩｄ−ＶＩＩｄ、及びＶＩＩｅ−ＶＩＩｅが、各図７ｃ〜７ｅに当てはまる。
【００２３】
操作要素の外部には、当該スイッチ・デバイスが併せて使用される最終製品に関してユーザ・フレンドリーな表面を据え付けることができる。
【００２４】
スイッチは、ユーザが回転させやすいものにすべきであり、押圧及び傾斜機能を容易に実行できるように設計すべきである。やはり図４を参照されたい。
【００２５】
図８ｃは、操作部材若しくは操作要素８０の外部に直接据え付けられたスイッチ表面９２を示す。また、外側の面がすぐに使用できる状態で、且つ外部ケーシングを必要としないように、操作要素８０を作製できることが理解されよう。表面が、図８ａ〜８ｃに示したように、操作要素の回転について摩擦をもたらす設計を有することが好ましい。
【００２６】
図８ｄは、滑らかな表面を有するが、それでも満足のいくユーザ・フレンドリー性を提供することができる。中央位置は、わずかに陥凹し、すなわち、凹形であり、中央が押されるときの信頼性の高い機能のための小さな突出部を備える。
【００２７】
図９は、図５〜７に関して示し記載したスイッチの一変形例を示しており、やはり、以上で、例えば図１に関して、示し記載したものと併せて理解しなければならない。図９は、当該構造で使用される様々な部品を示しており、図５〜７で使用したのと同一の参照番号がこの図で使用される。ただし、ここでは、接点フィールド６０及び７１〜７５並びに基部プレート若しくは基部５０が、別々のバージョン及び組み立てられたバージョンの両方で示されている。スナップ・ディスク（プレート形のばね）６１〜６５は、別々に据え付けられ、又は、参照番号９４によって示したように互いに連結される。この解決法は、概ね図１に関して示したように、傾動デバイス５３がフレーム７８と共に一体品に成型される点で、前述の解決法とは異なる。図５に示したシャフト５５及び５６は、フレームに取り付けられた可撓性のサスペンション・アーム９６及び９７に置き換えられている。この傾動部品９８（傾動デバイス＋フレーム）は、スリップ・リング８４が触れることになる、嵌め込み型の接点フィールド７７を有する。参照番号１００は、回転可能な操作要素の上側が図８に関して示したようなユーザ・フレンドリーな表面の取付けに適合された、諸部品の組立てを示す。
【図面の簡単な説明】
【００２８】
【図１ａ】傾動部品を示す図である。
【図１ｂ】傾動部品を示す図である。
【図２ａ】回転を備えた多機能スイッチ内の傾動部品を示す図である。
【図２ｂ】回転を備えた多機能スイッチ内の傾動部品を示す図である。
【図２ｃ】回転を備えた多機能スイッチ内の傾動部品を示す図である。
【図２ｄ】回転を備えた多機能スイッチ内の傾動部品を示す図である。
【図３ａ】傾動部品を装備した回転式多機能スイッチの変形例を示す図である。
【図３ｂ】傾動部品を装備した回転式多機能スイッチの変形例を示す図である。
【図３ｃ】傾動部品を装備した回転式多機能スイッチの変形例を示す図である。
【図３ｄ】傾動部品を装備した回転式多機能スイッチの変形例を示す図である。
【図４】操作要素の機能を示す図である。
【図５】スイッチを構成する個々の部品を示す図である。
【図６ａ】操作要素がない、組み立てたときのスイッチを示す図である。
【図６ｂ】操作要素がない、組み立てたときのスイッチを示す図である。
【図７ａ】操作要素を含む、組み立てたときのスイッチを示す図である。
【図７ｂ】操作要素を含む、組み立てたときのスイッチを示す図である。
【図７ｃ】操作要素を含む、組み立てたときのスイッチを示す断面図である。
【図７ｄ】操作要素を含む、組み立てたときのスイッチを示す断面図である。
【図７ｅ】操作要素を含む、組み立てたときのスイッチを示す断面図である。
【図８ａ】操作要素のタッチ部品の典型的な設計を示す図である。
【図８ｂ】操作要素のタッチ部品の典型的な設計を示す図である。
【図８ｃ】操作要素のタッチ部品の典型的な設計を示す図である。
【図８ｄ】操作要素のタッチ部品の典型的な設計を示す図である。
【図９】図５のスイッチの変形例を示す図である。
2006516355.tif 000003
2006516355.tif 000004
2006516355.tif 000005
2006516355.tif 000006
2006516355.tif 000007
【図４】
2006516355.tif 000008
【図５】
2006516355.tif 000009
2006516355.tif 000010
2006516355.tif 000011
2006516355.tif 000012
【図９】
2006516355.tif 000013
【手続補正書】
【提出日】平成16年8月26日(2004.8.26)
【手続補正１】
【補正対象書類名】特許請求の範囲
【補正対象項目名】全文
【補正方法】変更
【補正の内容】
【特許請求の範囲】
【請求項１】
車両、船舶、航空機などの輸送手段での使用に関係付けられたコンピュータやハンドヘルド電子装置／デバイスなどの電子機器での使用が意図される、傾斜機能を有する多機能スイッチ・デバイスであって、前記機器が、機能制御のためのディスプレイを有し、又は当該ディスプレイに接続されており、前記スイッチ・デバイスが、相互運動可能な２つのカルダン・カップリング支持部品を囲むハウジングから成る中央の傾動デバイスを有しており、前記部品の第１のものが、第１の対の支持点のところで、前記ハウジングに、若しくは前記デバイスの基部の部品に据え付けられており、前記部品の第２のものが、前記第１の対に対して９０°オフセットした第２の対の支持点のところで前記第１の部品上で支持されており、
前記スイッチ・デバイスが、操作部材若しくは要素を有しており、前記操作部材若しくは要素が、前記操作部材のステップ位置を検出する手段によって前記ハウジングに対してステップ回転可能であることと、
前記操作部材が、傾斜可能且つ下方に押圧可能であることと、
前記傾動デバイスの前記第２の部品が、前記操作要素が傾斜すると、下にあるスイッチ接点を作動させるように構成された、十字形のアームを有することと、
前記第２の部品が、前記操作部材上に配置されたシャフトをスライド可能に受ける穴を中央に有しており、前記部材が、前記スイッチの、回転可能、傾斜可能、且つ押下可能な部品を形成しており、前記シャフトが、中央の下にあるスイッチ接点のための作動装置の働きをすることとを特徴とする、多機能スイッチ・デバイス。
【請求項２】
リング形をした前記ハウジングと、前記第１の部品及び前記第２の部品とが、互いに固定して取り付けられて一体ユニットを形成しており、前記支持点が、相互カルダン運動のために可撓性でねじれることを特徴とする、請求項１に記載の多機能スイッチ・デバイス。
【請求項３】
前記相互運動可能な２つのカルダン・カップリング支持部品の第１のものが、第１の対の支持点のところでスイッチ基部に据え付けられており、前記部品の第２のものが、前記第１の対に対して９０°オフセットした第２の対の支持点のところで前記第１の部品上で支持されており、前記第１及び第２の部品が一体ユニットを形成することを特徴とする、請求項１に記載の多機能スイッチ・デバイス。
【請求項４】
前記傾動デバイスの相互運動可能な前記部品が、可撓性材料製であることを特徴とする、請求項１、２又は３に記載の多機能スイッチ・デバイス。
【請求項５】
前記傾動デバイスの相互運動可能な前記２つの部品が、前記傾動デバイス内でいくらか回転可能なシャフトによって支持点上に据え付けられることを特徴とする、請求項１、２又は３に記載の多機能スイッチ・デバイス。
【請求項６】
前記操作要素の前記回転可能なシャフトのための据付部を形成する、前記傾動デバイスの中央部分が、複数の垂直面及び／又は溝を有しており、前記スイッチ・デバイスの少なくとも１つのばねが、前記複数の垂直面及び／又は溝の上に接して動作して、前記操作要素のステップ回転をもたらすことを特徴とする、請求項１から５までのいずれか一項に記載の多機能スイッチ・デバイス。
【請求項７】
前記ステップ回転が、傾斜して回転要素内の溝と接触し、且つ前記スイッチ・デバイスの前記フレーム上に配置された関係接点のところで接触部及び／又は短絡回路を形成する、接点ばねを用いて検出されることを特徴とする、請求項６に記載の多機能スイッチ・デバイス。
【請求項８】
前記傾動デバイスの前記第１の部品が、第２の対の支持点によって前記第２の部品に固定して取り付けられており、前記支持点が可撓性でねじれることを特徴とする、請求項１から７までのいずれか一項に記載の多機能スイッチ・デバイス。
【請求項９】
前記傾動デバイスの前記第１の部品が、前記第１の対の支持点とピボット係合するための、突き出た１対の傾斜ピンを有することを特徴とする、請求項８に記載の多機能スイッチ・デバイス。
【請求項１０】
前記傾動デバイスの前記第１の部品が、基部及びフレームに固定して取り付けられた１対の支持点を有しており、前記支持点が可撓性でねじれることを特徴とする、請求項１から９までのいずれか一項に記載の多機能スイッチ・デバイス。
【請求項１１】
前記ばねが、前記スイッチ・デバイスの回転可能な操作部材に留め付けられることを特徴とする、請求項６に記載の多機能スイッチ・デバイス。
【請求項１２】
前記ばねが、ワイヤ・タイプのばねで、クリップの形態をしていることを特徴とする、請求項１１に記載の多機能スイッチ・デバイス。
【請求項１３】
前記傾動デバイス内でピボット式に支持される前記回転可能な部材の上に、前記デバイスの前記基部に対する前記部材の回転位置を検出するための、前記デバイスのフレーム部品上に配置された接点フィールドに対して感知する環状スリップ・リングが据え付けられることを特徴とする、請求項１から１２までのいずれか一項に記載の多機能スイッチ・デバイス。
【請求項１４】
前記環状スリップ・リングが、前記操作部材に取り付けるための、対角線上に配置された２つの点と、前記接点フィールドに接触する、対角線上に配置された２つのピンとを有することを特徴とする、請求項１３に記載の多機能スイッチ・デバイス。
【請求項１５】
前記スイッチ・デバイスの前記基部が、前記操作部材が傾斜若しくは押下されたときに各スイッチ機能を提供するために、複数のスナップ・ディスクと、関係付けられた複数の接点フィールドとを有することと、
前記基部の上に、外側のフレームが据え付けられており、前記外側のフレームの内側には、前記デバイス基部に対する前記操作部材の回転位置の検出のために前記スリップ・リング上の接点が触れる複数の接点フィールドが、リング構成で配置されることとを特徴とする、請求項１から１４までの一項又は複数の項に記載の多機能スイッチ・デバイス。
【請求項１６】
前記操作部材の中央の窪み及び前記操作部材のシャフト部品が、下にあるスナップ・ディスクを中央の接点フィールド上に圧潰させるように設計されており、同時に、前記操作部材の外側の部品に加わる圧力又は前記操作部材の傾斜が、前記傾動デバイスの運動をもたらして、その運動が、前記傾動デバイス上の前記アームの１つとの相互作用を通じて、前記外側のスナップ・ディスクの１つを前記アームの下にある関係付けられた接点フィールド上に圧潰させるように設計されることを特徴とする、請求項１から１５までのいずれか一項に記載の多機能スイッチ・デバイス。
【請求項１７】
前記操作部材が、外側の面を有しており、又は外側の面を有するように作製された部品の中に入れられており、前記外側の面が、滑らかである、又はユーザの指に対する摩擦のための外形、凹み、若しくは構造を周囲領域に有することと、
前記外側の面が、その中央で凹んでおり、触知ピン又は窪みが前記中央に配置されることとを特徴とする、請求項１から１６までの一項又は複数の項に記載の多機能スイッチ・デバイス。
【請求項１８】
前記操作部材が、中央を押下可能、ステップ回転可能、且つ４つの方向に傾斜可能であり、それによって、前記スイッチ・デバイスのそのような利用可能な運動に関係付けられた各スイッチ機能を作動できることを特徴とする、請求項１から１７までのいずれか一項に記載の多機能スイッチ・デバイス。
【国際調査報告】
2006516355.tif 000014
2006516355.tif 000015
2006516355.tif 000016